(57)【要約】【課題】媒体の不正な取得を容易に検知できるようにする。【解決手段】現金自動預払機１の紙幣入出金機１０は、出金処理において取り忘れ紙幣が発生した場合、排出前及び排出後の紙幣についての鑑別情報を基に紙幣の金種ごとの枚数を集計することにより、排出前鑑別情報Ｎ１及び排出後鑑別情報Ｎ２をそれぞれ生成する。これにより紙幣入出金機１０は、排出前鑑別情報Ｎ１及び排出後鑑別情報Ｎ２を比較することで、排出前及び排出後の紙幣について金種ごとの枚数の変化を容易に検知することができ、不正行為が行われた場合の金融機関の職員等による対処を容易化することができる。【選択図】図５
2015191331.tif 000002
【特許請求の範囲】
【請求項１】
媒体を鑑別する鑑別部と、
前記鑑別部による鑑別結果を基に、鑑別対象である前記媒体に関する情報を生成し鑑別情報とする鑑別情報生成部と、
利用者に受け渡すべき前記媒体を当該利用者が受取可能な状態で排出する受渡部と、
前記受渡部に残された前記媒体を取り込む取込部と、
前記利用者に受け渡すべき前記媒体を前記鑑別部により鑑別させ、排出前の前記媒体に関する前記鑑別部による鑑別結果を基に前記鑑別情報生成部により排出前鑑別情報を生成させ、前記取込部により取り込まれた前記媒体を前記鑑別部により鑑別させ、排出後の前記媒体に関する前記鑑別部による鑑別結果を基に前記鑑別情報生成部により排出後鑑別情報を生成させ、前記排出前鑑別情報及び前記排出後鑑別情報を基に、前記受渡部に排出した前記媒体と前記取込部により取り込まれた前記媒体との相違を判断する制御部と
を具えることを特徴とする媒体処理装置。
【請求項２】
前記鑑別情報生成部は、前記鑑別部による鑑別結果を基に、鑑別対象である前記媒体を２以上に分類したときに当該媒体を前記分類により総合的に表す情報を前記鑑別情報とし、
前記制御部は、前記排出前鑑別情報及び前記排出後鑑別情報を基に、前記受渡部に排出した前記媒体の分類と前記取込部により取り込まれた前記媒体の分類との相違を判断する
ことを特徴とする請求項１に記載の媒体処理装置。
【請求項３】
前記鑑別情報生成部は、前記鑑別部による鑑別結果を基に、鑑別対象である前記媒体を２以上に分類した場合の各分類の数を前記鑑別情報とし、
前記制御部は、前記排出前鑑別情報及び前記排出後鑑別情報を基に、前記受渡部に排出した前記媒体における各分類の数と前記取込部により取り込まれた前記媒体における各分類の数との相違を判断する
ことを特徴とする請求項２に記載の媒体処理装置。
【請求項４】
前記受渡部は、前記利用者に受け渡すべき前記媒体を所定の整列方向に沿って整列された状態で排出し、
前記鑑別情報生成部は、前記鑑別部による鑑別結果を基に、鑑別対象である前記媒体を２以上に分類した場合の前記整列された状態における各分類の出現順序を前記鑑別情報とし、
前記制御部は、前記排出前鑑別情報及び前記排出後鑑別情報を基に、前記受渡部に排出した前記媒体における各分類の出現順序と前記取込部により取り込まれた前記媒体における各分類の出現順序との相違を判断する
ことを特徴とする請求項２に記載の媒体処理装置。
【請求項５】
前記分類は、前記媒体に予め設定された種類を基になされる
ことを特徴とする請求項２乃至請求項４の何れかに記載の媒体処理装置。
【請求項６】
前記受渡部は、所定の基準方向を基準として前記媒体を複数通りの向きで前記利用者に排出可能であり、
前記分類は、前記媒体が前記受渡部において前記利用者に排出される向きを基になされる
ことを特徴とする請求項２乃至請求項４の何れかに記載の媒体処理装置。
【請求項７】
前記媒体は、互いに異なる複数の面を有し、
前記分類は、前記媒体が前記受渡部において前記基準方向に向けていた面を基になされる
ことを特徴とする請求項６に記載の媒体処理装置。
【請求項８】
前記媒体は、紙葉状に形成され第１面及び第２面を有し、
前記分類は、前記媒体が前記受渡部において前記基準方向に前記第１面又は前記第２面の何れを向けていたかを基になされる
ことを特徴とする請求項７に記載の媒体処理装置。
【請求項９】
前記媒体は、回転対称な形状であり、
前記分類は、前記媒体の前記受渡部における前記基準方向に対する回転角度を基になされる
ことを特徴とする請求項６に記載の媒体処理装置。
【請求項１０】
前記媒体は、それぞれ一意の識別番号が付され、
前記鑑別部は、前記媒体に付された前記識別番号をそれぞれ鑑別し、
前記鑑別情報生成部は、前記鑑別部による鑑別結果を基に、鑑別対象である前記媒体の前記識別番号に関する情報を前記鑑別情報とし、
前記制御部は、前記排出前鑑別情報及び前記排出後鑑別情報を基に、前記受渡部に排出した前記媒体の前記識別番号と前記取込部により取り込まれた前記媒体の前記識別番号との相違を判断する
ことを特徴とする請求項１に記載の媒体処理装置。
【請求項１１】
前記鑑別情報生成部は、前記鑑別部による鑑別結果を基に、鑑別対象である前記媒体の前記識別番号及び順序に関する情報を前記鑑別情報とし、
前記制御部は、前記排出前鑑別情報及び前記排出後鑑別情報を基に、前記受渡部に排出した前記媒体の前記識別番号及び順序と前記取込部により取り込まれた前記媒体の前記識別番号及び順序との相違を判断する
ことを特徴とする請求項１０に記載の媒体処理装置。
【請求項１２】
前記受渡部から前記媒体が入出される際に当該媒体又は前記利用者の手が通過する通過空間を、当該媒体又は当該利用者の手が通過したことを検知する手検知センサ
をさらに具え、
前記制御部は、前記手検知センサにより前記媒体又は前記利用者の手が前記通過空間を所定回数以上通過したことを検知した場合のみ、前記排出前鑑別情報及び前記排出後鑑別情報を基に、前記受渡部に排出した前記媒体と前記取込部により取り込まれた前記媒体との相違を判断する
ことを特徴とする請求項１に記載の媒体処理装置。
【請求項１３】
前記受渡部は、前記媒体の有無を検知する２以上の媒体センサ
をさらに具え、
前記制御部は、前記媒体センサにより前記媒体を検知した結果が当該媒体を前記受渡部に排出した前後で変化した場合のみ、前記排出前鑑別情報及び前記排出後鑑別情報を基に、前記受渡部に排出した前記媒体と前記取込部により取り込まれた前記媒体との相違を判断する
ことを特徴とする請求項１に記載の媒体処理装置。
【請求項１４】
利用者との間で媒体の受渡を伴う取引を行う操作指示を受け付ける操作部と、
前記媒体を鑑別する鑑別部と、
前記鑑別部による鑑別結果を基に、前記受渡の対象である前記媒体に関する情報を生成し鑑別情報とする鑑別情報生成部と、
前記受渡の対象である媒体を当該利用者が受取可能な状態で排出する受渡部と、
前記受渡部に残された前記媒体を取り込む取込部と、
前記受渡の対象である媒体を前記鑑別部により鑑別させ、排出前の前記媒体に関する前記鑑別部による鑑別結果を基に前記鑑別情報生成部により排出前鑑別情報を生成させ、前記取込部により取り込まれた前記媒体を前記鑑別部により鑑別させ、排出後の前記媒体に関する前記鑑別部による鑑別結果を基に前記鑑別情報生成部により排出後鑑別情報を生成させ、前記排出前鑑別情報及び前記排出後鑑別情報を基に、前記受渡部に排出した前記媒体と前記取込部により取り込まれた前記媒体との相違を判断する制御部と
を具えることを特徴とする媒体取引装置。
【請求項１５】
前記取引は、前記媒体取引装置から前記利用者が前記媒体を引き出す引出取引であり、
前記受渡部は、前記引出取引において引き出される前記媒体を前記受渡の対象とする
ことを特徴とする請求項１４に記載の媒体取引装置。
【請求項１６】
前記取引は、前記利用者が前記媒体を前記媒体取引装置へ預け入れる預入取引であり、
前記受渡部は、前記利用者から前記媒体が受け渡された後で前記預入取引が中止された場合に、前記利用者に返却すべき前記媒体を前記受渡の対象とする
ことを特徴とする請求項１４に記載の媒体取引装置。
【発明の詳細な説明】
【技術分野】
【０００１】
本発明は媒体処理装置及び媒体取引装置に関し、例えば利用者に要求された紙幣等の媒体を繰り出して所望の取引を行う現金自動預払機（ＡＴＭ）に適用して好適なものである。
【背景技術】
【０００２】
従来、金融機関等で使用される現金自動預払機等においては、顧客との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う入出金部と、紙幣を搬送する搬送部と、投入された紙幣の金種及び真偽を鑑別する鑑別部と、投入された紙幣を一時的に保留する一時保留部と、紙幣を金種ごとに格納する紙幣収納庫と、全体を制御する制御部等とを有するものが提案されている。入出金部は、例えば紙幣の紙面を前後方向に向けて集積された状態で収容する収容器と、当該収容器を開閉するシャッタと、収容器に収容されている紙幣を１枚ずつに分離して取り込んで搬送部へ受け渡す取込口と、搬送部から搬送されてきた紙幣を収容器内へ放出して集積させる放出口とを有している。
【０００４】
この現金自動預払機は、出金取引において、利用者から出金取引の開始及び出金額が指示されると、紙幣収納庫から出金額に応じた金種及び枚数の紙幣を順次繰り出し、これを１枚ずつ鑑別して金種や搬送状態等を鑑別し、出金可能な紙幣を入出金部へ順次搬送して放出口から収容器内へ放出させる。現金自動預払機は、入出金部のシャッタを開放して収容機内の紙幣を利用者に取り出すよう促す。
【０００５】
ここで現金自動預払機は、入出金部内の紙幣が所定時間以内に利用者により取り出されなかった場合、利用者が当該紙幣を取り忘れて立ち去った、いわゆる出金紙幣の取り忘れが発生したものと判断し、入出金部のシャッタを閉塞して当該紙幣を取り込み、所定の専用収納庫へ搬送して収納する。
【０００６】
ところで現金自動預払機では、入出金部において出金紙幣が所定時間の経過後に取り込まれることを利用して、悪意のある利用者により、紙幣を不正に取得する手口が知られている。
【０００７】
例えばある手口によれば、現金自動預払機は、正当な出金操作に従い、入出金部の収容器内に出金用の紙幣を収容してシャッタを開放する。このとき悪意ある利用者は、収容器内の一部の紙幣を巧妙に抜き取り、所定時間の経過後に、残りの紙幣を現金自動預払機内部に取り込ませる。この悪意ある利用者は、後日、金融機関の窓口等に、出金した全額の取り忘れを申請し、抜き取った紙幣の分だけ余分に紙幣を不正に入手してしまう。
【０００８】
またある手口によれば、現金自動預払機は、正当な出金操作に従い、入出金部の収容器内に出金用の紙幣を収容してシャッタを開放する。このとき悪意ある利用者は、収容器内の一部又は全部の紙幣を偽造された紙幣（いわゆる偽券）に巧妙にすり替え、所定時間の経過後に、偽券を含む紙幣を現金自動預払機内部に取り込ませる。この悪意ある利用者は、後日、金融機関の窓口等に紙幣の取り忘れを申請し、取り忘れた金額に相当する他の正当な紙幣を不正に入手してしまう。
【０００９】
そこで現金自動預払機のなかには、出金紙幣の取り忘れが発生した場合、取り込んだ紙幣の真偽を鑑別部により鑑別し、またその枚数を計数することにより、枚数が変化した場合や偽券であった場合には、例えば他のシステムに通報し、或いは専用の偽券収納庫に搬送して収納する、といった処理を行うものも提案されている（例えば、特許文献１参照。）
【先行技術文献】
【特許文献】
【００１０】
【特許文献１】国際公開ＷＯ２００９／１５０７０１号パンフレット
【発明の概要】
【発明が解決しようとする課題】
【００１１】
しかしながら、かかる構成の現金自動預払機については、より巧妙な手口が次々と考案されており、従来の手法では必ずしも十分に対処できない場合もあった。このため、このような新たな手口に対しても対処し得るような、新たな手法が望まれていた。
【００１２】
本発明は以上の点を考慮してなされたもので、媒体の不正な取得を容易に検知できる媒体処理装置及び媒体取引装置を提案しようとするものである。
【課題を解決するための手段】
【００１３】
かかる課題を解決するため本発明の媒体処理装置においては、媒体を鑑別する鑑別部と、鑑別部による鑑別結果を基に、鑑別対象である媒体に関する情報を生成し鑑別情報とする鑑別情報生成部と、利用者に受け渡すべき媒体を当該利用者が受取可能な状態で排出する受渡部と、受渡部に残された媒体を取り込む取込部と、利用者に受け渡すべき媒体を鑑別部により鑑別させ、排出前の媒体に関する鑑別部による鑑別結果を基に鑑別情報生成部により排出前鑑別情報を生成させ、取込部により取り込まれた媒体を鑑別部により鑑別させ、排出後の媒体に関する鑑別部による鑑別結果を基に鑑別情報生成部により排出後鑑別情報を生成させ、排出前鑑別情報及び排出後鑑別情報を基に、受渡部に排出した媒体と取込部により取り込まれた媒体との相違を判断する制御部とを設けるようにした。
【００１４】
また本発明の媒体取引装置においては、利用者との間で媒体の受渡を伴う取引を行う操作指示を受け付ける操作部と、媒体を鑑別する鑑別部と、鑑別部による鑑別結果を基に、受渡の対象である媒体に関する情報を生成し鑑別情報とする鑑別情報生成部と、受渡の対象である媒体を当該利用者が受取可能な状態で排出する受渡部と、受渡部に残された媒体を取り込む取込部と、受渡の対象である媒体を鑑別部により鑑別させ、排出前の媒体に関する鑑別部による鑑別結果を基に鑑別情報生成部により排出前鑑別情報を生成させ、取込部により取り込まれた媒体を鑑別部により鑑別させ、排出後の媒体に関する鑑別部による鑑別結果を基に鑑別情報生成部により排出後鑑別情報を生成させ、排出前鑑別情報及び排出後鑑別情報を基に、受渡部に排出した媒体と取込部により取り込まれた媒体との相違を判断する制御部とを設けるようにした。
【００１５】
本発明では、受渡部に排出された媒体が利用者により取り出されなかった場合に、媒体に関する鑑別結果を基に生成された排出前鑑別情報と排出後鑑別情報とを基に、排出前と取引後との間における媒体の変化の有無を容易に判断することができる。
【発明の効果】
【００１６】
本発明によれば、受渡部に排出された媒体が利用者により取り出されなかった場合に、排出前鑑別情報と排出後鑑別情報とを基に、排出前と取引後との間における媒体の変化の有無を容易に判断することができる。かくして本発明は、媒体の不正な取得を容易に検知できる媒体処理装置及び媒体取引装置を実現できる。
【図面の簡単な説明】
【００１７】
【図１】現金自動預払機の構成を示す略線的斜視図である。
【図２】紙幣入出金機の構成を示す略線図である。
【図３】現金自動預払機及び紙幣入出金機のブロック構成を示す略線図である。
【図４】第１の実施の形態による出金処理手順を示すフローチャートである。
【図５】第１の実施の形態による鑑別情報を示す略線図である。
【図６】第２の実施の形態による出金処理手順を示すフローチャートである。
【図７】第２の実施の形態による鑑別情報を示す略線図である。
【図８】紙幣の構成を示す略線図である。
【図９】紙幣の向きを示す略線図である。
【図１０】第３の実施の形態による出金処理手順を示すフローチャートである。
【図１１】第３の実施の形態による鑑別情報を示す略線図である。
【図１２】第４の実施の形態による出金処理手順を示すフローチャートである。
【図１３】第４の実施の形態による鑑別情報を示す略線図である。
【図１４】入出金部における各検知センサの配置を示す略線図である。
【図１５】第５の実施の形態による出金処理手順（１）を示すフローチャートである。
【図１６】第５の実施の形態による出金処理手順（２）を示すフローチャートである。
【発明を実施するための形態】
【００１８】
以下、発明を実施するための形態（以下実施の形態とする）について、図面を用いて説明する。
【００１９】
［１．第１の実施の形態］
［１−１．現金自動預払機の構成］
図１に外観を示すように、現金自動預払機１は、箱状の筐体２を中心に構成されており、例えば金融機関等に設置され、顧客との間で入金取引や出金取引等の現金に関する取引を行う。以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２０】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に顧客応対部３が設けられている。顧客応対部３は、顧客との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００２１】
カード入出口４は、キャッシュカード等の各種カードが挿入又は排出される部分である。カード入出口４の奥側には、各種カードに磁気記録された口座番号等の読み取りを行うカード処理部４Ａ（図３）が設けられている。入出金口５は、顧客が入金する紙幣が投入されると共に、顧客へ出金する紙幣ＢＬが排出される部分である。また入出金口５は、シャッタを駆動することにより開放又は閉塞する。
【００２２】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部８Ａ（図３）が設けられている。
【００２３】
筐体２内には、現金自動預払機１全体を統括制御する主制御部９や、紙幣に関する種々の処理を行う紙幣入出金機１０等が設けられている。
【００２４】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部９Ｍを有しており、この記憶部９Ｍに種々の情報を記憶させる。
【００２５】
紙幣入出金機１０は、図２に側面図を示すように、その内部に紙幣制御部１１、入出金部１２、搬送部１３、鑑別部１４、一時保留部１５、紙幣収納庫１６、リジェクト庫１７、偽券収納庫１８及び取忘収納庫１９が設けられている。
【００２６】
紙幣制御部１１は、図３に現金自動預払機１全体を含む紙幣入出金機１０のブロック構成を示すように、主制御部９と連携しながら、当該紙幣入出金機１０を統括的に制御するようになっている。紙幣制御部１１は、主制御部９と同様、図示しないＣＰＵを中心に構成されており、図示しないＲＯＭやフラッシュメモリ等から所定のプログラムを読み出して実行することにより、入金処理や出金処理等、種々の処理を行う。
【００２７】
また紙幣制御部１１は、内部にＲＡＭ及びフラッシュメモリ等でなる記憶部１１Ｍを有しており、この記憶部１１Ｍに出金プログラム等の各種プログラムや紙幣に関する情報等の種々の情報を記憶させる。これに加えて紙幣制御部１１は、鑑別部１４から得られる鑑別情報を基に、紙幣に関する鑑別情報を生成する鑑別情報生成部１１Ｃも内部に有している（詳しくは後述する）。
【００２８】
入出金部１２（図２）は、上方が開放された箱状の収容器１２Ａを中心に構成されている。収容器１２Ａは、利用者へ受け渡すべき紙幣又は利用者から受け渡される紙幣を収容するようになっている。この収容器１２Ａは、長方形の紙葉状の媒体である紙幣の長手方向を左右に向けると共に紙面を前後方向に向け、且つ各紙面を互いに対向させるように集積した状態で、最大で２００枚の紙幣を収容することができる。
【００２９】
収容器１２Ａの上方には、開閉可能なシャッタ１２Ｂが設けられている。シャッタ１２Ｂは、開放されると収容器１２Ａ内に紙幣を投入させ、若しくは収容器１２Ａ内の紙幣を利用者に取り出させ得る一方、閉塞されると収容器１２Ａを利用者から遮蔽し、当該収容器１２Ａ内の紙幣に対する取り出しや投入、或いは接触等のアクセスを禁止する。
【００３０】
また入出金部１２は、収容器１２Ａ内の紙幣を１枚ずつに分離して取り込み搬送部１３へ受け渡す取込口１２Ｃと、搬送部１３から搬送されてきた紙幣を収容器１２Ａ内へ放出する放出口１２Ｄとを有している。さらに入出金部１２は、収容器１２Ａ内における紙幣の有無を検知する紙幣検知センサ１２Ｅが組み込まれている。
【００３１】
紙幣検知センサ１２Ｅは、いわゆる光センサであり、所定の検知光を発光する発光素子と、この検知光を受光する受光素子とが、収容器１２Ａを挟んで対向するように配置されている。このため紙幣検知センサ１２Ｅは、検知光が遮光されることで、収容器１２Ａ内に１枚以上の紙幣が収容されていることを検知し、また検知光を受光することで、収容器１２Ａ内に紙幣が収容されていないことを検知する。紙幣検知センサ１２Ｅは、このようにして得られた検知結果を紙幣制御部１１へ通知することにより、当該紙幣制御部１１に対し収容器１２Ａ内における紙幣の有無を認識させることができる。
【００３２】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００３３】
鑑別部１４は、内部に光学センサ、イメージセンサや磁気センサ等の各種センサを有しており、その内部で紙幣を搬送しながら、当該紙幣の金種及び真偽、並びに損傷の程度等を鑑別し、また記番号を読み取り、その鑑別結果及び記番号を紙幣制御部１１へ通知する。これに応じて紙幣制御部１１は、取得した鑑別結果に基づいて各紙幣の搬送先を決定する。
【００３４】
一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出すようになっている。因みに一時保留部１５は、最大で例えば２００枚の紙幣を収納することができる。
【００３５】
紙幣収納庫１６は、内部に多数の紙幣を集積して収納するようになっている。この紙幣収納庫１６は、例えば入金取引において、鑑別部１４において損傷の程度が小さく再利用可能と鑑別された紙幣が金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３６】
リジェクト庫１７は、鑑別部１４において損傷の程度が大きく再利用すべきでないと鑑別された紙幣（いわゆるリジェクト紙幣）を収納する。偽券収納庫１８は、偽造されたと鑑別された紙幣（いわゆる偽券）を収納する。また取忘収納庫１９は、出金取引等において利用者が入出金部１２から取り忘れた紙幣を収納する。因みにリジェクト庫１７、偽券収納庫１８及び取忘収納庫１９は、何れも搬送部１３により搬送されてきた紙幣を収納できれば良いため、収納機能のみ有しており、紙幣収納庫１６のような繰出機能を有していない。
【００３７】
［１−２．入金処理］
次に、紙幣入出金機１０における紙幣の入金処理について説明する。現金自動預払機１において利用者との間で入金取引が行われる場合、紙幣入出金機１０の紙幣制御部１１は、入金処理を開始する。
【００３８】
まず紙幣制御部１１は、主制御部９（図１）と連携しながら操作表示部６を介して入金取引の開始操作を受け付けると、入出金部１２のシャッタ１２Ｂを開いて収容器１２Ａ内へ紙幣を投入させる。入出金部１２は、利用者により収容器１２Ａに紙幣が投入された上で、操作表示部６を介して取込開始の操作指示を受け付けると、シャッタ１２Ｂを閉塞し、取込口１２Ｃにより収容器１２Ａから紙幣を１枚ずつ取り込み、搬送部１３へ受け渡す。搬送部１３は、紙幣を短辺方向に沿って進行させ、鑑別部１４へ搬送する。
【００３９】
鑑別部１４は、その内部で紙幣を搬送しながら、各種センサによる検知結果を紙幣制御部１１へ通知する。このとき鑑別部１４は、例えば収容器１２Ａにおいて前方を向いていた紙面を当該鑑別部１４内においては下方に向けており、また収容器１２Ａにおいて下端であった長辺を当該鑑別部１４内においては後端としている。
【００４０】
紙幣制御部１１は、鑑別部１４から得られた鑑別結果を基に、紙幣の金種及び真偽、並びに損傷の程度等を認識し、さらに記番号を読み取る。この記番号は、各紙幣に一意に割り当てられた文字や記号の組み合わせであり、この記番号を用いることで各紙幣をそれぞれ識別することができる。
【００４１】
さらに紙幣制御部１１は、各紙幣の認識結果を基にその搬送先を決定する。具体的に紙幣制御部１１は、正当であり取引すべきと鑑別された紙幣を搬送部１３により一時保留部１５へ搬送させ収納させる一方、取引すべきでないと鑑別されたリジェクト紙幣を搬送部１３により入出金部１２へ搬送し、放出口１２Ｄから収容器１２Ａ内へ放出する。その後紙幣制御部１１は、入出金部１２のシャッタ１２Ｂを開放させ、リジェクト紙幣を利用者に確認させた上で、必要に応じて他の紙幣と交換させ、収容器１２Ａ内へ再度投入させる。
【００４２】
やがて紙幣制御部１１は、入出金部１２に投入された全ての紙幣を取り込み終えると、鑑別部１４から得られた鑑別結果を基に入金額を算出し、これを操作表示部６に表示して利用者に提示して、入金取引を継続するか否かを問い合わせる。ここで利用者から入金取引を継続する旨の指示を受け付けた場合、紙幣制御部１１は、一時保留部１５に保留している紙幣を搬送部１３により鑑別部１４へ搬送してその金種及び損傷の程度等を鑑別させ、その鑑別結果を取得する。
【００４３】
続いて紙幣制御部１１は、搬送部１３を制御することにより、紙幣の損傷の程度が小さい紙幣については、これを再利用すべき紙幣として、搬送部１３により金種ごとに振り分けた上で紙幣収納庫１６へ搬送して収納させる。その一方で紙幣制御部１１は、損傷の程度が大きい紙幣を再利用すべきでないリジェクト紙幣としてリジェクト庫１７へ搬送して収納させ、また偽券を偽券収納庫１８へ搬送して収納させる。
【００４４】
一方、紙幣制御部１１は、利用者から入金取引を継続しない旨の指示を受け付けた場合、一時保留部１５に保留している全ての紙幣を順次繰り出させ、これを搬送部１３により入出金部１２へ順次搬送して放出口１２Ｄから収容器１２Ａ内へ順次放出させる。紙幣制御部１１は、全ての紙幣を収容器１２Ａ内に収容すると、シャッタ１２Ｂを開放して紙幣を排出し、利用者に取り出させる。
【００４５】
このとき紙幣制御部１１は、シャッタ１２Ｂを開放してから所定の待機時間（例えば３０秒間）が経過しても収容器１２Ａ内に紙幣が残っていた場合、利用者が当該紙幣を取り忘れて立ち去ったものと判断する。このとき紙幣制御部１１は、収容器１２Ａ内の紙幣を取込口１２Ｃから１枚ずつ取り込み、搬送部１３により取忘収納庫１９へ搬送して収納させる。
【００４６】
このように紙幣入出金機１０は、入金取引において利用者から入出金部１２に投入された紙幣を１枚ずつ鑑別して搬送先を決定し、紙幣収納庫１６等へ搬送して収納させるようになっている。
【００４７】
［１−３．出金処理］
次に、紙幣入出金機１０における紙幣の出金処理について説明する。現金自動預払機１において利用者との間で出金取引が行われる場合、紙幣入出金機１０の紙幣制御部１１は、利用者からの指示に基づき紙幣を出金する出金処理を行う。具体的に紙幣制御部１１は、記憶部１１Ｍから出金プログラムを読み出して実行することにより、図４に示す出金処理手順ＲＴ１を開始してステップＳＰ１へ移る。
【００４８】
ステップＳＰ１において紙幣制御部１１は、主制御部９（図３）と連携しながら、操作表示部６を介して利用者による出金取引の開始操作を受け付け、さらに出金額を入力させて、次のステップＳＰ２へ移る。ステップＳＰ２において紙幣制御部１１は、出金額に応じた金種及び枚数の紙幣を決定した上で、この金種及び枚数の紙幣を紙幣収納庫１６から順次繰り出し、搬送部１３により鑑別部１４を経由して入出金部１２の放出口１２Ｄへ搬送させ、次のステップＳＰ３へ移る。
【００４９】
ステップＳＰ３において紙幣制御部１１は、搬送中の各紙幣を鑑別部１４により順次鑑別させ、次のステップＳＰ４へ移る。ステップＳＰ４において紙幣制御部１１は、出金すべき全ての紙幣についての鑑別結果が鑑別部１４から得られると、鑑別情報生成部１１Ｃ（図３）により、この鑑別結果を基に金種ごとの紙幣の枚数を集計して図５（Ａ）に示すような排出前鑑別情報Ｎ１とし、これを記憶部１１Ｍ（図３）に記憶させ、次のステップＳＰ５へ移る。
【００５０】
ステップＳＰ５において紙幣制御部１１は、出金すべき全ての紙幣を入出金部１２の収容器１２Ａ内へ放出し終えると、シャッタ１２Ｂを開放させて排出し、次のステップＳＰ６へ移る。このとき収容器１２Ａ内の紙幣は、利用者により取り出し得る状態となる。また紙幣制御部１１は、主制御部９（図３）と連携することにより、例えば操作表示部６に「紙幣を取り出して下さい」といったメッセージを表示させ、或いは所定のスピーカ（図示せず）から警告音を発生させることにより、利用者に収容器１２Ａからの紙幣の取り出しを促す。
【００５１】
ステップＳＰ６において紙幣制御部１１は、紙幣検知センサ１２Ｅから得られる検知結果を基に、収容器１２Ａ内に紙幣が残留しているか否かを判定する。ここで否定結果が得られると、このことは利用者により収容器１２Ａ内の全ての紙幣（すなわち排出した紙幣）が取り出されたことを表している。このとき紙幣制御部１１は、次のステップＳＰ１５へ移って出金処理手順ＲＴ１を終了する。
【００５２】
一方、ステップＳＰ６において肯定結果が得られると、このことは利用者により収容器１２Ａから紙幣（すなわち排出した紙幣）が取り出されていないことを表している。このとき紙幣制御部１１は、次のステップＳＰ７へ移る。ステップＳＰ７において紙幣制御部は、シャッタ１２Ｂを開放してから所定の待ち時間（例えば３０秒間）が経過したか否かを判定する。
【００５３】
ここで否定結果が得られると、このことは収容器１２Ａ内に紙幣が残留しているものの、シャッタ１２Ｂを開放してからの経過時間が短く、利用者がこれから当該紙幣を取り出す可能性があることを表している。このとき紙幣制御部１１は、再びステップＳＰ６へ戻り、利用者による収容器１２Ａからの紙幣の取り出しを待ち受ける。
【００５４】
一方、ステップＳＰ７において肯定結果が得られると、このことはシャッタ１２Ｂの開放後に比較的長い待ち時間が経過しており既に利用者が現金自動預払機１の前から立ち去った可能性が高いにも拘わらず収容器１２Ａ内に紙幣が残されていること、換言すれば利用者が紙幣を取り忘れて立ち去った可能性が高いことを表している。このとき紙幣制御部１１は、取り忘れられた紙幣に対処するべく、次のステップＳＰ８へ移る。
【００５５】
ステップＳＰ８において紙幣制御部１１は、入出金部１２のシャッタ１２Ｂを閉塞し、収容器１２Ａ内の紙幣を取込口１２Ｃから１枚ずつ取り込んで搬送部１３へ受け渡し、鑑別部１４を経由して一時保留部１５へ搬送させ、次のステップＳＰ９へ移る。ステップＳＰ９において紙幣制御部１１は、ステップＳＰ３と同様、搬送中の各紙幣を鑑別部１４により順次鑑別させ、次のステップＳＰ１０へ移る。
【００５６】
ステップＳＰ１０において紙幣制御部１１は、取り込んだ全ての紙幣についての鑑別結果が鑑別部１４から得られると、鑑別情報生成部１１Ｃ（図３）により、この鑑別結果を基に金種ごとの紙幣の枚数を集計して図５（Ｂ）に示すような排出後鑑別情報Ｎ２とし、これを記憶部１１Ｍに記憶させ、次のステップＳＰ１１へ移る。
【００５７】
ステップＳＰ１１において紙幣制御部１１は、記憶部１１Ｍに記憶している排出前鑑別情報Ｎ１及び排出後鑑別情報Ｎ２を比較し、次のステップＳＰ１２へ移る。ステップＳＰ１２において紙幣制御部１１は、排出前鑑別情報Ｎ１及び排出後鑑別情報Ｎ２が一致したか否か、すなわち紙幣の金種ごとの枚数が同一であったか否かを判定する。
【００５８】
ここで肯定結果が得られると、このことはシャッタ１２Ｂが開放された当初に収容器１２Ａに収容されていた排出前の時点と、シャッタ１２Ｂを閉塞して収容器１２Ａから取り込んだ排出後の時点とで、紙幣の金種ごとの枚数が一致しており、不正行為等が行われた可能性が低いことを表している。このとき紙幣制御部１１は、次のステップＳＰ１３へ移り、一時保留部１５に収納している紙幣を搬送部１３により取忘収納庫１９へ順次搬送し、次のステップＳＰ１５へ移って出金処理手順ＲＴ１を終了する。
【００５９】
一方、ステップＳＰ１２において否定結果が得られると、このことは少なくとも排出前の紙幣と排出後の紙幣との間で金種及び枚数が一致しておらず、すり替えや抜き取り等の不正行為が行われた可能性があることを表している。このとき紙幣制御部１１は、次のステップＳＰ１４へ移る。ステップＳＰ１４において紙幣制御部１１は、例えば金融機関の職員に連絡する等の異常対応処理を行い、次のステップＳＰ１５へ移って出金処理手順ＲＴ１を終了する。
【００６０】
因みに記憶部１１Ｍは、出金処理手順ＲＴ１の終了後も、排出前鑑別情報Ｎ１及び排出後鑑別情報Ｎ２を何れも記憶し続けている。紙幣制御部１１は、例えば金融機関の職員による所定の操作等に応じて、この排出前鑑別情報Ｎ１及び排出後鑑別情報Ｎ２の内容を操作表示部６に表示する等して確認させることができる。
【００６１】
［１−４．動作及び効果］
以上の構成において、第１の実施の形態による現金自動預払機１の紙幣入出金機１０は、利用者との間で出金取引を行う際に実行する出金処理において、出金前の紙幣についての鑑別情報を基に、金種ごとの枚数を表す排出前鑑別情報Ｎ１を生成し記憶部１１Ｍに記憶させる。続いて紙幣入出金機１０は、この紙幣を入出金部１２へ搬送し収容器１２Ａに収容してシャッタ１２Ｂを開放することで排出し、利用者による当該紙幣の取出を促す。
【００６２】
その後紙幣入出金機１０は、紙幣の取り忘れが発生した場合、入出金部１２の収容器１２Ａから取り込んだ後の紙幣についての鑑別情報を基に、金種ごとの枚数を表す排出後鑑別情報Ｎ２を生成し、記憶部１１Ｍに記憶させる。
【００６３】
さらに紙幣入出金機１０は、排出前鑑別情報Ｎ１及び排出後鑑別情報Ｎ２における相違の有無を判断し、相違が無ければ取忘収納庫１９へ搬送し、相違があれば金融機関の職員に連絡する等の異常対応処理を行う。
【００６４】
すなわち紙幣入出金機１０は、排出前及び排出後の各時点において、鑑別結果を基に、金種ごとの枚数、すなわち金種毎に分類した場合の各分類の数を表す排出前鑑別情報Ｎ１及び排出後鑑別情報Ｎ２をそれぞれ生成して記憶している。このため紙幣入出金機１０は、排出前鑑別情報Ｎ１及び排出後鑑別情報Ｎ２の内容を金融機関の職員等に確認させることで、排出前と排出後とにおける金種ごとの枚数の変化を容易に認識させ、不正行為の有無の判断材料として利用させることができる。
【００６５】
また紙幣入出金機１０は、紙幣制御部１１において排出前鑑別情報Ｎ１及び排出後鑑別情報Ｎ２を比較し、その結果に応じて紙幣の取忘収納庫１９への搬送又は異常対応処理を行うため、金融機関の職員による対処の一部を軽減させることができる。
【００６６】
その何れにおいても紙幣入出金機１０は、鑑別情報として、紙幣の金種ごとの枚数を集計しているため、偽造券を用いず全枚数も変化しないような不正行為、例えば高額紙幣を正当な低額紙幣とすり替える、といった行為があったとしても、これを容易に検知でき、またはその検知に繋がる情報を迅速に提供することができる。
【００６７】
例えば図５（Ａ）及び（Ｂ）の排出前鑑別情報Ｎ１及び排出後鑑別情報Ｎ２では、「１０００」円券及び「１００００」円券の双方で、金種ごとの枚数がそれぞれ変化しており、これを基に、不正行為がなされた可能性が高いことを容易に判断できる。
【００６８】
ところで鑑別部１４は、従来より各紙幣の金種を検知する機能を有しており、その検知結果を紙幣制御部１１に通知している。このため紙幣入出金機１０は、紙幣制御部１１において鑑別部１４から得られる鑑別結果を基に金種ごとの枚数を新たに集計し、これを排出前鑑別情報Ｎ１又は排出後鑑別情報Ｎ２として記憶部１１Ｍに記憶させるだけで良く、新たなセンサの追加や紙幣の搬送経路の変更等を行う必要が無い。
【００６９】
以上の構成によれば、第１の実施の形態による現金自動預払機１の紙幣入出金機１０は、出金処理において取り忘れ紙幣が発生した場合、排出前及び排出後の紙幣についての鑑別情報を基に紙幣の金種ごとの枚数を集計することにより、排出前鑑別情報Ｎ１及び排出後鑑別情報Ｎ２をそれぞれ生成する。これにより紙幣入出金機１０は、排出前鑑別情報Ｎ１及び排出後鑑別情報Ｎ２を比較することで、排出前及び排出後の紙幣について金種ごとの枚数の変化を容易に検知することができ、不正行為が行われた場合の金融機関の職員等による対処を容易化することができる。
【００７０】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２及び図３）は、第１の実施の形態による紙幣入出金機１０と比較して、紙幣制御部１１に代わる紙幣制御部１１１を有する点において相違するものの、他の点については同様に構成されている。
【００７１】
紙幣制御部１１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。
【００７２】
また紙幣制御部１１１は、記憶部１１Ｍ及び鑑別情報生成部１１Ｃに代わる記憶部１１１Ｍ及び鑑別情報生成部１１１Ｃを有している。記憶部１１１Ｍは、記憶部１１Ｍと同様、各種プログラムや鑑別情報等の種々の情報を記憶する。鑑別情報生成部１１１Ｃは、鑑別部１４から得られる鑑別情報を基に、第１の実施の形態とは異なる鑑別情報を生成するようになっている（詳しくは後述する）。因みに紙幣制御部１１１は、入金処理については第１の実施の形態における紙幣制御部１１と同様の処理を行う。
【００７３】
［２−１．出金処理］
次に、紙幣入出金機１１０における紙幣の出金処理について説明する。現金自動預払機１０１において利用者との間で出金取引が行われる場合、紙幣入出金機１１０の紙幣制御部１１１は、利用者からの指示に基づき紙幣を出金する出金処理を行う。具体的に紙幣制御部１１１は、記憶部１１１Ｍから出金プログラムを読み出して実行することにより、図４と対応する図６に示す出金処理手順ＲＴ２を開始してステップＳＰ２１へ移る。
【００７４】
ステップＳＰ２１、ＳＰ２２及びＳＰ２３において紙幣制御部１１１は、第１の実施の形態におけるステップＳＰ１、ＳＰ２及びＳＰ３と同様の処理を行い、次のステップＳＰ２４へ移る。
【００７５】
ステップＳＰ２４において紙幣制御部１１１は、出金すべき全ての紙幣についての鑑別結果が鑑別部１４から得られると、鑑別情報生成部１１１Ｃ（図３）により、この鑑別結果を基に紙幣の金種に関する出現順序を記録して図７（Ａ）に示すような排出前鑑別情報Ｎ１１とし、これを記憶部１１１Ｍ（図３）に記憶させ、次のステップＳＰ２５へ移る。
【００７６】
ここで金種に関する出現順序とは、鑑別部１４を通過した各紙幣の順序とその金種とを対応付けて記録したものである。また紙幣入出金機１１０では、その構造上、搬送部１３により順次搬送される紙幣が、鑑別部１４を通過した順に入出金部１２に到達し、放出口１２Ｄから収容器１２Ａ内へ放出される。このため鑑別結果に基づいた金種に関する出現順序は、この紙幣が入出金部１２の収容器１２Ａ内に集積され、前方から後方へ向けて順に整列したときに、各金種が出現する順序を表すことになる。
【００７７】
ステップＳＰ２５、ＳＰ２６、ＳＰ２７、ＳＰ２８及びＳＰ２９において紙幣制御部１１１は、第１の実施の形態におけるステップＳＰ５、ＳＰ６、ＳＰ７、ＳＰ８及びＳＰ９と同様の処理を行い、次のステップＳＰ３０へ移る。
【００７８】
ステップＳＰ３０において紙幣制御部１１１は、取り込んだ全ての紙幣についての鑑別結果が鑑別部１４から得られると、鑑別情報生成部１１１Ｃ（図３）により、この鑑別結果を基に紙幣の金種に関する出現順序を記録して図７（Ｂ）に示すような排出後鑑別情報Ｎ１２とし、これを記憶部１１１Ｍ（図３）に記憶させ、次のステップＳＰ３１へ移る。
【００７９】
ステップＳＰ３１において紙幣制御部１１１は、記憶部１１１Ｍに記憶している排出前鑑別情報Ｎ１１及び排出後鑑別情報Ｎ１２を比較し、次のステップＳＰ３２へ移る。ステップＳＰ３２において紙幣制御部１１１は、排出前鑑別情報Ｎ１１及び排出後鑑別情報Ｎ１２が一致したか否か、すなわち紙幣の金種に関する出現順序が同一であったか否かを判定する。
【００８０】
ここで肯定結果が得られると、このことはシャッタ１２Ｂが開放された当初に収容器１２Ａに収容されていた排出前の時点と、シャッタ１２Ｂを閉塞して収容器１２Ａから取り込んだ排出後の時点とで、紙幣の金種に関する出現順序が一致しており、不正行為等が行われた可能性が低いことを表している。このとき紙幣制御部１１１は、次のステップＳＰ３３へ移り、一時保留部１５に収納している紙幣を搬送部１３により取忘収納庫１９へ順次搬送し、次のステップＳＰ３５へ移って出金処理手順ＲＴ２を終了する。
【００８１】
一方、ステップＳＰ３２において否定結果が得られると、このことは少なくとも排出前の紙幣と排出後の紙幣との間で金種に関する出現順序が一致しておらず、すり替えや抜き取り等の不正行為が行われた可能性があることを表している。このとき紙幣制御部１１１は、次のステップＳＰ３４へ移り、例えば金融機関の職員に連絡する等の異常対応処理を行い、次のステップＳＰ３５へ移って出金処理手順ＲＴ２を終了する。
【００８２】
因みに記憶部１１１Ｍは、第１の実施の形態と同様、出金処理手順ＲＴ２の終了後も、排出前鑑別情報Ｎ１１及び排出後鑑別情報Ｎ１２を何れも記憶し続けている。紙幣制御部１１１は、例えば金融機関の職員による所定の操作等に応じて、この排出前鑑別情報Ｎ１１及び排出後鑑別情報Ｎ１２の内容を操作表示部６に表示する等して確認させることができる。
【００８３】
［２−２．動作及び効果］
以上の構成において、第２の実施の形態による現金自動預払機１０１の紙幣入出金機１１０は、利用者との間で出金取引を行う際に実行する出金処理において、出金前の紙幣についての鑑別情報を基に、金種に関する出現順序を表す排出前鑑別情報Ｎ１１を生成し記憶部１１１Ｍに記憶させる。続いて紙幣入出金機１１０は、この紙幣を入出金部１２へ搬送し収容器１２Ａに収容してシャッタ１２Ｂを開放することで、利用者による当該紙幣の取出を促す。
【００８４】
その後紙幣入出金機１１０は、紙幣の取り忘れが発生した場合、入出金部１２の収容器１２Ａから取り込んだ後の紙幣についての鑑別情報を基に、金種に関する出現順序を表す排出後鑑別情報Ｎ１２を生成し、記憶部１１１Ｍに記憶させる。さらに紙幣入出金機１１０は、排出前鑑別情報Ｎ１１及び排出後鑑別情報Ｎ１２における相違の有無を判断し、相違が無ければ取忘収納庫１９へ搬送し、相違があれば金融機関の職員に連絡する等の異常対応処理を行う。
【００８５】
すなわち紙幣入出金機１１０は、排出前及び排出後の各時点において、鑑別結果を基に、金種に関する出現順序、すなわち金種毎に分類した場合の各分類の出現順序を表す排出前鑑別情報Ｎ１１及び排出後鑑別情報Ｎ１２をそれぞれ生成して記憶している。このため紙幣入出金機１１０は、排出前鑑別情報Ｎ１１及び排出後鑑別情報Ｎ１２の内容を金融機関の職員等に確認させることで、排出前と排出後とにおける金種に関する出現順序の変化を容易に認識させ、不正行為の有無の判断材料として利用させることができる。
【００８６】
また紙幣入出金機１１０は、紙幣制御部１１１において排出前鑑別情報Ｎ１１及び排出後鑑別情報Ｎ１２を比較し、その結果に応じて紙幣の取忘収納庫１９への搬送又は異常対応処理を行うため、金融機関の職員による対処の一部を軽減させることができる。
【００８７】
その何れにおいても紙幣入出金機１１０は、鑑別情報として、紙幣の金種に関する出現順序を記録しているため、例えば紙幣をすり替える行為があったとしても、その金種に関する順序が変化した場合にこれを容易に検知でき、またはその検知に繋がる情報を提供することができる。
【００８８】
例えば図７（Ａ）及び（Ｂ）の排出前鑑別情報Ｎ１１及び排出後鑑別情報Ｎ１２では、順序「２」の紙幣における金種が「１００００」から「１０００」へ変化しており、これを基に、不正行為がなされた可能性が高いことを容易に判断できる。
【００８９】
その他の点においても、第２の実施の形態による紙幣入出金機１１０は、鑑別情報の内容以外に関して、第１の実施の形態による紙幣入出金機１０と同様の作用効果を奏し得る。
【００９０】
以上の構成によれば、第２の実施の形態による現金自動預払機の紙幣入出金機１１０は、出金処理において取り忘れ紙幣が発生した場合、排出前及び排出後の紙幣についての鑑別情報を基に紙幣の金種に関する出現順序を記録することにより、排出前鑑別情報Ｎ１１及び排出後鑑別情報Ｎ１２をそれぞれ生成する。これにより紙幣入出金機１１０は、排出前鑑別情報Ｎ１１及び排出後鑑別情報Ｎ１２を比較することで、排出前及び排出後の紙幣について金種に関する出現順序の変化を容易に検知することができ、不正行為が行われた場合の金融機関の職員等による対処を容易化することができる。
【００９１】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０（図２及び図３）は、第１の実施の形態による紙幣入出金機１０と比較して、紙幣制御部１１に代わる紙幣制御部２１１を有する点において相違するものの、他の点については同様に構成されている。
【００９２】
紙幣制御部２１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。
【００９３】
また紙幣制御部２１１は、記憶部１１Ｍ及び鑑別情報生成部１１Ｃに代わる記憶部２１１Ｍ及び鑑別情報生成部２１１Ｃを有している。記憶部２１１Ｍは、記憶部１１Ｍと同様、各種プログラムや鑑別情報等の種々の情報を記憶する。鑑別情報生成部２１１Ｃは、鑑別部１４から得られる鑑別情報を基に、第１及び第２の実施の形態とは異なる鑑別情報を生成するようになっている（詳しくは後述する）。因みに紙幣制御部２１１は、入金処理については第１の実施の形態における紙幣制御部１１と同様の処理を行う。
【００９４】
［３−１．紙幣の向き及び鑑別情報］
ところで現金自動預払機２０１において取り扱われる紙幣は、例えば図８（Ａ）及び（Ｂ）に示すように、紙葉状の長方形の媒体である。すなわち紙幣の形状は、紙面と対峙したときに上下方向及び左右方向に対称であり、さらには上下左右の中央を回転中心とした回転対称でもある。
【００９５】
この紙幣は、表面及び裏面にそれぞれ各種文字や図形等が印刷されており、また印刷されている文字や図形、或いはレイアウト等といった印刷内容に関して、上下非対称であり、且つ表面と裏面とでも相違している。
【００９６】
ここで、紙幣の各長辺を上下に向けていずれかの面と正対した場合、紙幣の紙面の表裏に関しては、「表」又は「裏」の何れかとなる。また紙幣の上下に関しては、「上」又は「下」のいずれかとなる。因みに紙幣における上下方向の相違は、上下左右の中央を回転中心としたときの回転角度の相違（０°及び１８０°）と見なすこともできる。
【００９７】
そこで、紙幣について表裏及び上下を組み合わせて「向き」を分類するものとすると、当該紙幣の「向き」としては、図９に示すように状態Ｆ１、Ｆ２、Ｂ１又はＢ２の４通りが考えられる。
【００９８】
一方、紙幣は、紙幣入出金機２１０（図２）内において、入出金部１２、搬送部１３及び鑑別部１４の配置や構造に起因して、収容器１２Ａ内で利用者側（すなわち正面側）を向いていた面を鑑別部１４において下方に向け、また収容器１２Ａ内で上方に向けていた長辺を鑑別部１４において前方に向けることになる。
【００９９】
そこで紙幣入出金機２１０の鑑別部１４は、紙幣を鑑別した際に、紙幣の下側から見て前方を基準とした「向き」、すなわち「表裏」及び「上下」を、鑑別情報として紙幣制御部２１１へ通知するようになっている。具体的に鑑別部１４は、紙幣の搬送経路を上下から挟むように、互いに対向させている２個のイメージセンサ（図示せず）のうち、下側のイメージセンサから得られる画像を基に、各紙幣の向きを鑑別する。
【０１００】
［３−２．出金処理］
次に、紙幣入出金機２１０における紙幣の出金処理について説明する。現金自動預払機２０１において利用者との間で出金取引が行われる場合、紙幣入出金機２１０の紙幣制御部２１１は、利用者からの指示に基づき紙幣を出金する出金処理を行う。具体的に紙幣制御部２１１は、記憶部２１１Ｍから出金プログラムを読み出して実行することにより、図４と対応する図１０に示す出金処理手順ＲＴ３を開始してステップＳＰ４１へ移る。
【０１０１】
ステップＳＰ４１、ＳＰ４２及びＳＰ４３において紙幣制御部２１１は、第１の実施の形態におけるステップＳＰ１、ＳＰ２及びＳＰ３と同様の処理を行い、次のステップＳＰ４４へ移る。
【０１０２】
ステップＳＰ４４において紙幣制御部２１１は、出金すべき全ての紙幣についての鑑別結果が鑑別部１４から得られると、鑑別情報生成部２１１Ｃ（図３）により、この鑑別結果を基に紙幣の向きの順序を記録して図１１（Ａ）に示すような排出前鑑別情報Ｎ２１とし、これを記憶部２１１Ｍ（図３）に記憶させ、次のステップＳＰ４５へ移る。因みに紙幣の「向き」とは、図９に示したように、紙幣の表裏及び上下を組み合わせた４通りとなる。
【０１０３】
ステップＳＰ４５、ＳＰ４６、ＳＰ４７、ＳＰ４８及びＳＰ４９において紙幣制御部２１１は、第１の実施の形態におけるステップＳＰ５、ＳＰ６、ＳＰ７、ＳＰ８及びＳＰ９と同様の処理を行い、次のステップＳＰ５０へ移る。
【０１０４】
ステップＳＰ５０において紙幣制御部２１１は、取り込んだ全ての紙幣についての鑑別結果が鑑別部１４から得られると、鑑別情報生成部２１１Ｃ（図３）により、この鑑別結果を基に紙幣の向きの順序を記録して図１１（Ｂ）に示すような排出後鑑別情報Ｎ２２とし、これを記憶部２１１Ｍ（図３）に記憶させ、次のステップＳＰ５１へ移る。
【０１０５】
ステップＳＰ５１において紙幣制御部２１１は、記憶部２１１Ｍに記憶している排出前鑑別情報Ｎ２１及び排出後鑑別情報Ｎ２２を比較し、次のステップＳＰ５２へ移る。ステップＳＰ５２において紙幣制御部２１１は、排出前鑑別情報Ｎ２１及び排出後鑑別情報Ｎ２２が一致したか否か、すなわち紙幣の向きの順序が同一であったか否かを判定する。
【０１０６】
ここで肯定結果が得られると、このことはシャッタ１２Ｂが開放された当初に収容器１２Ａに収容されていた排出前の時点と、シャッタ１２Ｂを閉塞して収容器１２Ａから取り込んだ排出後の時点とで、紙幣の向きの順序が一致しており、不正行為等が行われた可能性が低いことを表している。このとき紙幣制御部２１１は、次のステップＳＰ５３へ移り、一時保留部１５に収納している紙幣を搬送部１３により取忘収納庫１９へ順次搬送し、次のステップＳＰ５５へ移って出金処理手順ＲＴ３を終了する。
【０１０７】
一方、ステップＳＰ５２において否定結果が得られると、このことは少なくとも排出前の紙幣と排出後の紙幣との間で紙幣の向きの順序が一致しておらず、すり替えや抜き取り等の不正行為が行われた可能性があることを表している。このとき紙幣制御部２１１は、次のステップＳＰ５４へ移り、例えば金融機関の職員に連絡する等の異常対応処理を行い、次のステップＳＰ５５へ移って出金処理手順ＲＴ３を終了する。
【０１０８】
因みに記憶部２１１Ｍは、第１の実施の形態と同様、出金処理手順ＲＴ３の終了後も、排出前鑑別情報Ｎ２１及び排出後鑑別情報Ｎ２２を何れも記憶し続けている。紙幣制御部２１１は、例えば金融機関の職員による所定の操作等に応じて、この排出前鑑別情報Ｎ２１及び排出後鑑別情報Ｎ２２の内容を操作表示部６に表示する等して確認させることができる。
【０１０９】
［３−３．動作及び効果］
以上の構成において、第３の実施の形態による現金自動預払機２０１の紙幣入出金機２１０は、利用者との間で出金取引を行う際に実行する出金処理において、出金前の紙幣についての鑑別情報を基に、紙幣の向きの順序を表す排出前鑑別情報Ｎ２１を生成し記憶部２１１Ｍに記憶させる。続いて紙幣入出金機２１０は、この紙幣を入出金部１２へ搬送し収容器１２Ａに収容してシャッタ１２Ｂを開放することで、利用者による当該紙幣の取出を促す。
【０１１０】
その後紙幣入出金機２１０は、紙幣の取り忘れが発生した場合、入出金部１２の収容器１２Ａから取り込んだ後の紙幣についての鑑別情報を基に、紙幣の向きの順序を表す排出後鑑別情報Ｎ２２を生成し、記憶部２１１Ｍに記憶させる。さらに紙幣入出金機２１０は、排出前鑑別情報Ｎ２１及び排出後鑑別情報Ｎ２２における相違の有無を判断し、相違が無ければ取忘収納庫１９へ搬送し、相違があれば金融機関の職員に連絡する等の異常対応処理を行う。
【０１１１】
すなわち紙幣入出金機２１０は、排出前及び排出後の各時点において、鑑別結果を基に、紙幣の向きの順序、すなわち紙幣の向きごとに分類した場合の各分類の出現順序を表す排出前鑑別情報Ｎ２１及び排出後鑑別情報Ｎ２２をそれぞれ生成して記憶している。このため紙幣入出金機２１０は、排出前鑑別情報Ｎ２１及び排出後鑑別情報Ｎ２２の内容を金融機関の職員等に確認させることで、排出前と排出後とにおける紙幣の向きの順序の変化を容易に認識させ、不正行為の有無の判断材料として利用させることができる。
【０１１２】
また紙幣入出金機２１０は、紙幣制御部２１１において排出前鑑別情報Ｎ２１及び排出後鑑別情報Ｎ２２を比較し、その結果に応じて紙幣の取忘収納庫１９への搬送又は異常対応処理を行うため、金融機関の職員による対処の一部を軽減させることができる。
【０１１３】
その何れにおいても紙幣入出金機１１０は、鑑別情報として、紙幣の向きの順序を記録しているため、例えば紙幣をすり替える行為があったとしても、その向きの順序が変化した場合にこれを容易に検知でき、またはその検知に繋がる情報を提供することができる。
【０１１４】
例えば図１１（Ａ）及び（Ｂ）の排出前鑑別情報Ｎ２１及び排出後鑑別情報Ｎ２２では、順序が「２」である紙幣の表裏及び上下の何れもが変化しており、これを基に、不正行為がなされた可能性が高いことを容易に判断できる。
【０１１５】
その他の点においても、第３の実施の形態による紙幣入出金機２１０は、鑑別情報の内容以外に関して、第１の実施の形態による紙幣入出金機１０と同様の作用効果を奏し得る。
【０１１６】
以上の構成によれば、第３の実施の形態による現金自動預払機の紙幣入出金機２１０は、出金処理において取り忘れ紙幣が発生した場合、排出前及び排出後の紙幣についての鑑別情報を基に紙幣の向きの順序を記録することにより、排出前鑑別情報Ｎ２１及び排出後鑑別情報Ｎ２２をそれぞれ生成する。これにより紙幣入出金機２１０は、排出前鑑別情報Ｎ２１及び排出後鑑別情報Ｎ２２を比較することで、排出前及び排出後の紙幣について向きの順序の変化を容易に検知することができ、不正行為が行われた場合の金融機関の職員等による対処を容易化することができる。
【０１１７】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。紙幣入出金機３１０（図２及び図３）は、第１の実施の形態による紙幣入出金機１０と比較して、紙幣制御部１１に代わる紙幣制御部３１１を有する点において相違するものの、他の点については同様に構成されている。
【０１１８】
紙幣制御部３１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。
【０１１９】
また紙幣制御部３１１は、記憶部１１Ｍ及び鑑別情報生成部１１Ｃに代わる記憶部３１１Ｍ及び鑑別情報生成部３１１Ｃを有している。記憶部３１１Ｍは、記憶部１１Ｍと同様、各種プログラムや鑑別情報等の種々の情報を記憶する。鑑別情報生成部３１１Ｃは、鑑別部１４から得られる鑑別情報を基に、第１〜第３の実施の形態とは異なる鑑別情報を生成するようになっている（詳しくは後述する）。因みに紙幣制御部３１１は、入金処理については第１の実施の形態における紙幣制御部１１と同様の処理を行う。
【０１２０】
［４−１．出金処理］
次に、紙幣入出金機３１０における紙幣の出金処理について説明する。現金自動預払機３０１において利用者との間で出金取引が行われる場合、紙幣入出金機３１０の紙幣制御部３１１は、利用者からの指示に基づき紙幣を出金する出金処理を行う。具体的に紙幣制御部３１１は、記憶部３１１Ｍから出金プログラムを読み出して実行することにより、図４と対応する図１２に示す出金処理手順ＲＴ４を開始してステップＳＰ６１へ移る。
【０１２１】
ステップＳＰ６１、ＳＰ６２及びＳＰ６３において紙幣制御部３１１は、第１の実施の形態におけるステップＳＰ１、ＳＰ２及びＳＰ３と同様の処理を行い、次のステップＳＰ６４へ移る。
【０１２２】
ステップＳＰ６４において紙幣制御部３１１は、出金すべき全ての紙幣についての鑑別結果が鑑別部１４から得られると、鑑別情報生成部１１１Ｃ（図３）により、この鑑別結果を基に紙幣の金種、金種、記番号及び順序を記録して図１３（Ａ）に示すような排出前鑑別情報Ｎ３１とし、これを記憶部３１１Ｍ（図３）に記憶させ、次のステップＳＰ６５へ移る。
【０１２３】
ステップＳＰ６５、ＳＰ６６、ＳＰ６７、ＳＰ６８及びＳＰ６９において紙幣制御部３１１は、第１の実施の形態におけるステップＳＰ５、ＳＰ６、ＳＰ７、ＳＰ８及びＳＰ９と同様の処理を行い、次のステップＳＰ７０へ移る。
【０１２４】
ステップＳＰ７０において紙幣制御部３１１は、取り込んだ全ての紙幣についての鑑別結果が鑑別部１４から得られると、鑑別情報生成部１１１Ｃ（図３）により、この鑑別結果を基に紙幣の金種、記番号及び順序を記録して図１３（Ｂ）に示すような排出後鑑別情報Ｎ３２とし、これを記憶部３１１Ｍ（図３）に記憶させ、次のステップＳＰ７１へ移る。
【０１２５】
ステップＳＰ７１において紙幣制御部３１１は、記憶部３１１Ｍに記憶している排出前鑑別情報Ｎ３１及び排出後鑑別情報Ｎ３２を比較し、次のステップＳＰ７２へ移る。ステップＳＰ７２において紙幣制御部３１１は、排出前鑑別情報Ｎ３１及び排出後鑑別情報Ｎ３２が一致したか否か、すなわち紙幣の金種、記番号及び順序が同一であったか否かを判定する。
【０１２６】
ここで肯定結果が得られると、このことはシャッタ１２Ｂが開放された当初に収容器１２Ａに収容されていた排出前の時点と、シャッタ１２Ｂを閉塞して収容器１２Ａから取り込んだ排出後の時点とで、紙幣の金種、記番号及び順序が一致しており、不正行為等が行われた可能性が低いことを表している。このとき紙幣制御部３１１は、次のステップＳＰ７３へ移り、一時保留部１５に収納している紙幣を搬送部１３により取忘収納庫１９へ順次搬送し、次のステップＳＰ７５へ移って出金処理手順ＲＴ４を終了する。
【０１２７】
一方、ステップＳＰ７２において否定結果が得られると、このことは少なくとも排出前の紙幣と排出後の紙幣との間で金種、記番号及び順序が一致しておらず、すり替えや抜き取り等の不正行為が行われた可能性があることを表している。このとき紙幣制御部３１１は、次のステップＳＰ７４へ移り、例えば金融機関の職員に連絡する等の異常対応処理を行い、次のステップＳＰ７５へ移って出金処理手順ＲＴ４を終了する。
【０１２８】
因みに記憶部３１１Ｍは、第１の実施の形態と同様、出金処理手順ＲＴ４の終了後も、排出前鑑別情報Ｎ３１及び排出後鑑別情報Ｎ３２を何れも記憶し続けている。紙幣制御部３１１は、例えば金融機関の職員による所定の操作等に応じて、この排出前鑑別情報Ｎ３１及び排出後鑑別情報Ｎ３２の内容を操作表示部６に表示する等して確認させることができる。
【０１２９】
［４−２．動作及び効果］
以上の構成において、第４の実施の形態による現金自動預払機３０１の紙幣入出金機３１０は、利用者との間で出金取引を行う際に実行する出金処理において、出金前の紙幣についての鑑別情報を基に、紙幣の金種、記番号及び順序を表す排出前鑑別情報Ｎ３１を生成し記憶部１１１Ｍに記憶させる。続いて紙幣入出金機３１０は、この紙幣を入出金部１２へ搬送し収容器１２Ａに収容してシャッタ１２Ｂを開放することで、利用者による当該紙幣の取出を促す。
【０１３０】
その後紙幣入出金機３１０は、紙幣の取り忘れが発生した場合、入出金部１２の収容器１２Ａから取り込んだ後の紙幣についての鑑別情報を基に、紙幣の金種、記番号及び順序を表す排出後鑑別情報Ｎ１２を生成し、記憶部３１１Ｍに記憶させる。さらに紙幣入出金機３１０は、排出前鑑別情報Ｎ３１及び排出後鑑別情報Ｎ３２における相違の有無を判断し、相違が無ければ取忘収納庫１９へ搬送し、相違があれば金融機関の職員に連絡する等の異常対応処理を行う。
【０１３１】
すなわち紙幣入出金機３１０は、排出前及び排出後の各時点において、鑑別結果を基に、紙幣の金種、記番号及び順序を表す排出前鑑別情報Ｎ３１及び排出後鑑別情報Ｎ３２をそれぞれ生成して記憶している。このため紙幣入出金機３１０は、排出前鑑別情報Ｎ３１及び排出後鑑別情報Ｎ３２の内容を金融機関の職員等に確認させることで、排出前と排出後とにおける紙幣の金種、記番号及び順序の変化を容易に認識させ、不正行為の有無の判断材料として利用させることができる。
【０１３２】
また紙幣入出金機３１０は、紙幣制御部３１１において排出前鑑別情報Ｎ３１及び排出後鑑別情報Ｎ３２を比較し、その結果に応じて紙幣の取忘収納庫１９への搬送又は異常対応処理を行うため、金融機関の職員による対処の一部を軽減させることができる。
【０１３３】
その何れにおいても紙幣入出金機３１０は、鑑別情報として、紙幣の金種、記番号及び順序を記録しているため、例えば紙幣をすり替える行為があったとしても、記番号そのもの又はその順序が変化した場合にこれを容易に検知でき、又はその検知に繋がる情報を提供することができる。
【０１３４】
例えば図１３（Ａ）及び（Ｂ）の排出前鑑別情報Ｎ３１及び排出後鑑別情報Ｎ３２では、順序が「２」の紙幣において記番号が変化しており、これを基に、不正行為がなされた可能性が高いことを容易に判断できる。
【０１３５】
その他の点においても、第４の実施の形態による紙幣入出金機３１０は、鑑別情報の内容以外に関して、第１の実施の形態による紙幣入出金機１０と同様の作用効果を奏し得る。
【０１３６】
以上の構成によれば、第４の実施の形態による現金自動預払機の紙幣入出金機３１０は、出金処理において取り忘れ紙幣が発生した場合、排出前及び排出後の紙幣についての鑑別情報を基に紙幣の金種、記番号及び順序を記録することにより、排出前鑑別情報Ｎ３１及び排出後鑑別情報Ｎ３２をそれぞれ生成する。これにより紙幣入出金機３１０は、排出前鑑別情報Ｎ３１及び排出後鑑別情報Ｎ３２を比較することで、排出前及び排出後の紙幣について金種、記番号及び順序の変化を容易に検知することができ、不正行為が行われた場合の金融機関の職員等による対処を容易化することができる。
【０１３７】
［５．第５の実施の形態］
第５の実施の形態による現金自動預払機４０１（図１）は、第１の実施の形態による現金自動預払機１と比較して、紙幣入出金機１０に代わる紙幣入出金機４１０を有する点において相違するものの、他の点については同様に構成されている。紙幣入出金機４１０（図２及び図３）は、第１の実施の形態による紙幣入出金機１０と比較して、紙幣制御部１１に代わる紙幣制御部４１１及び入出金部４１２を有する点において相違するものの、他の点については同様に構成されている。
【０１３８】
紙幣制御部４１１は、第１の実施の形態による紙幣制御部１１と同様、図示しないＣＰＵを中心に構成されており、図示しないＲＯＭやフラッシュメモリ等から所定のプログラムを読み出して実行することにより、入金処理や出金処理等、種々の処理を行う。因みに紙幣制御部４１１は、入金処理については第１の実施の形態における紙幣制御部１１と同様の処理を行う。
【０１３９】
［５−１．入出金部の構成］
入出金部４１２は、図１４（Ａ）に示すように、第１の実施の形態による入出金部１２と比較して、利用者の手を検知するための手検知センサ４１２ＦＡ及び４１２ＦＢが設けられている点において相違するものの、例えば収容器１２Ａ等のような他の部分については同様に構成されている。
【０１４０】
手検知センサ４１２ＦＡは、紙幣検知センサ１２Ｅ（図２）と同様の光センサであり、所定の検知光を発光する発光素子とこの検知光を受光する受光素子とが、収容器１２Ａの上側の空間を左右から挟んで対向する位置にそれぞれ配置されている。また手検知センサ４１２ＦＢは、これらと同様の発光素子及び受光素子が、収容器１２Ａの上側の空間を前後から挟んで対向する位置にそれぞれ配置されている。
【０１４１】
このため手検知センサ４１２ＦＡ及び４１２ＦＢは、収容器１２Ａ内における紙幣の有無については検知せず、当該収容器１２Ａに近づけられた利用者の手や、この手に把持されて収容器１２Ａから出し入れされる紙幣により検知光が遮断されたか否かを検知し、その検知結果を紙幣制御部４１１へ通知する。以下、収容器１２Ａの上方に位置し、当該収容器１２Ａからの紙幣の入出時に当該紙幣やこれを把持する利用者の手が通過する空間を通過空間と呼ぶ。
【０１４２】
紙幣制御部４１１は、入出金部４１２の手検知センサ４１２ＦＡ及びＦＢにおける検知結果を継続的に監視することにより、検知光の光路が遮断されたか否か、及びその回数等を認識する。これを基に紙幣制御部４１１は、この認識結果を基に、収容器１２Ａに対し利用者の手が近づけられたか否かや利用者の手により把持された紙幣が通過空間を通過したか否か、或いは当該収容器１２Ａに利用者の手が近づけられた回数や紙幣が通過空間を通過した回数等を判断することができる。
【０１４３】
因みに紙幣検知センサ１２Ｅは、実際には図１４（Ｂ）に示すように、１０組の紙幣検知センサ１２ＥＡ、１２ＥＢ、１２ＥＣ、１２ＥＤ、１２ＥＥ、１２ＥＦ、１２ＥＧ、１２ＥＨ、１２ＥＩ及び１２ＥＪにより構成されている。この紙幣検知センサ１２ＥＡ〜１２ＥＪは、収容器１２Ａを前方から見て格子状に配置されており、大きさが異なる様々な紙幣について、その有無を精度良く検知し得るようになっている。
【０１４４】
紙幣制御部４１１は、紙幣検知センサ１２ＥＡ〜１２ＥＪの検知結果を基に、収容器１２Ａ内に１枚以上の紙幣があるか否かを判断できる。また紙幣制御部４１１は、収容器１２Ａ内で紙幣が移動され紙幣検知センサ１２ＥＡ〜１２ＥＪによる検知結果が変化した場合、当該紙幣が移動されたと判断することもできる。
【０１４５】
［５−２．出金処理］
次に、紙幣入出金機４１０における紙幣の出金処理について説明する。現金自動預払機４０１において利用者との間で出金取引が行われる場合、紙幣入出金機４１０の紙幣制御部４１１は、利用者からの指示に基づき紙幣を出金する出金処理を行う。具体的に紙幣制御部４１１は、記憶部４１１Ｍから出金プログラムを読み出して実行することにより、図４と対応する図１５及び図１６に示す出金処理手順ＲＴ５を開始してステップＳＰ８１へ移る。
【０１４６】
紙幣制御部４１１は、ステップＳＰ８１〜ＳＰ９２において、第１の実施の形態におけるステップＳＰ１〜ＳＰ１２とそれぞれ同様の処理を行い、このうち最後のステップＳＰ９２において、排出前鑑別情報Ｎ１及び排出後鑑別情報Ｎ２が一致したか否か、すなわち紙幣の金種ごとの枚数が同一であったか否かを判定する。
【０１４７】
ここで肯定結果が得られると、このことはシャッタ１２Ｂが開放された当初に収容器１２Ａに収容されていた排出前の時点と、シャッタ１２Ｂを閉塞して収容器１２Ａから取り込んだ排出後の時点とで、紙幣の金種ごとの枚数が一致していることを表している。このとき紙幣制御部１１は、次のステップＳＰ９３へ移る。
【０１４８】
ステップＳＰ９３において紙幣制御部４１１は、入出金部４１２の手検知センサ４１２ＦＡ及び４１２ＦＢから得られた検知結果を基に、シャッタ１２Ｂが開いている間に検知光が１回以上遮断された否か、すなわち利用者の手により収容器１２Ａにアクセスされたか否かを判定する。
【０１４９】
ここで否定結果が得られると、このことは利用者が入出金部４１２に対し手を全く差し入れておらず、単純に紙幣を取り忘れた可能性が高いことを表している。このとき紙幣制御部４１１は、次のステップＳＰ９４へ移り、一時保留部１５に収納している紙幣を搬送部１３により取忘収納庫１９へ順次搬送した後、次のステップＳＰ９６へ移って出金処理手順ＲＴ５を終了する。
【０１５０】
一方、ステップＳＰ９３において肯定結果が得られると、このことは、シャッタ１２Ｂが開いている間に利用者の手や紙幣によって検知光が１回以上遮断されており、排出前と排出後とで紙幣の金種ごとの枚数が不変であったとしても、何らかの不正行為がなされた可能性があることを表している。このとき紙幣制御部４１１は、次のステップＳＰ９５へ移る。また紙幣制御部４１１は、ステップＳＰ９２において否定結果が得られた場合、すなわち排出前と排出後とで紙幣の金種ごとの枚数が一致しなかった場合にも、次のステップＳＰ９５へ移る。
【０１５１】
ステップＳＰ９５において紙幣制御部４１１は、ステップＳＰ１４（図４）と同様、例えば金融機関の職員に連絡する等の異常対応処理を行い、次のステップＳＰ９６へ移って出金処理手順ＲＴ５を終了する。
【０１５２】
［５−３．動作及び効果］
以上の構成において、第５の実施の形態による現金自動預払機４０１の紙幣入出金機４１０は、第１の実施の形態と同様に渡前及び排出後の各時点において、鑑別結果を基に、金種ごとの枚数を表す排出前鑑別情報Ｎ１及び排出後鑑別情報Ｎ２をそれぞれ生成して記憶する。そして紙幣入出金機４１０は、これらが一致しなかった場合、不正行為がなされた可能性が高いものとして、異常対応処理を行う。
【０１５３】
これに加えて紙幣入出金機４１０は、排出前鑑別情報Ｎ１及び排出後鑑別情報Ｎ２が一致したとしても、シャッタ１２Ｂを開放している間に手検知センサ４１２ＦＡ及び４１２ＦＢにより検知光の遮光を検知した場合には、利用者の手が収容器１２Ａにアクセスしたものとみなし、同様に異常対応処理を行う。
【０１５４】
これにより紙幣入出金機４１０は、例えば出金された紙幣の偽券へのすり替えのように巧妙な不正行為がなされ、金種ごとの枚数からでは検知できなかったとしても、手検知センサ４１２ＦＡ及び４１２ＦＢの検知結果を基に、不正行為が行われた可能性を判断すること、又はその判断材料を提供することができる。
【０１５５】
その他の点においても、紙幣入出金機４１０は、第１の実施の形態による紙幣入出金機１０と同様の作用効果を奏し得る。
【０１５６】
以上の構成によれば、第５の実施の形態による現金自動預払機の紙幣入出金機４１０は、出金処理において取り忘れ紙幣が発生した場合、排出前及び排出後の紙幣についての鑑別情報を基に紙幣の金種ごとの枚数を集計することにより、排出前鑑別情報Ｎ１及び排出後鑑別情報Ｎ２をそれぞれ生成する。紙幣入出金機４１０は、排出前鑑別情報Ｎ１及び排出後鑑別情報Ｎ２を比較することで、排出前及び排出後の紙幣について金種ごとの枚数の変化を容易に検知することができ、また手検知センサ４１２ＦＡ及び４１２ＦＢの検知結果を基に収容器１２Ａに対するアクセスの有無を判断できるので、不正行為が行われた場合の金融機関の職員等による対処を容易化することができる。
【０１５７】
［６．他の実施の形態］
なお上述した第１の実施の形態においては、排出前及び排出後の各時点における紙幣の金種ごとの枚数を鑑別情報とする場合について述べた。しかしながら本発明はこれに限らず、例えば第３の実施の形態のような紙幣の向き（表裏又は上下の何れか若しくはその組み合わせ）ごとの枚数や、紙幣に発行年が印刷される場合におけるこの発行年等、紙幣に予め設定された種類を種々の分類手法に従って分類したときの、その分類ごとの枚数を鑑別情報としても良い。
【０１５８】
また上述した第２の実施の形態においては、排出前及び排出後の各時点における紙幣の金種に関する出現順序を鑑別情報とする場合について述べた。さらに第３の実施の形態では、排出前及び排出後の各時点における紙幣の向きの順序を鑑別情報とする場合について述べた。しかしながら本発明はこれに限らず、例えば紙幣の損傷の程度等、紙幣を種々の分類手法に従って分類したときの、その分類ごとの出現順序を鑑別情報としても良い。
【０１５９】
さらに上述した第３の実施の形態においては、紙幣の向きとして表裏及び上下を組み合わせた４通りを鑑別情報とする場合について述べた。しかしながら本発明はこれに限らず、例えば紙幣の向きとして表裏のみの２通り、或いは上下のみの２通りを鑑別情報としても良い。
【０１６０】
さらに上述した第３の実施の形態においては、媒体としての紙幣が紙葉状であるため、面に関する向きを表裏の２通りに分類する場合について述べた。しかしながら本発明はこれに限らず、例えば直方体状や立方体状の媒体において、面に関する向きを６通りに分類する等、媒体の形状に応じて分類可能な数に各媒体を分類して鑑別情報としても良い。
【０１６１】
さらに上述した第３の実施の形態においては、媒体としての紙幣が長方形に形成されているため、回転方向に関する向きを上下、すなわち０°及び１８０°の２通りに分類する場合について述べた。しかしながら本発明はこれに限らず、例えば媒体の形状が正方形に近い場合に、入出金部１２において上方向を向く辺が４通り存在する場合、すなわち基準方向に対する紙幣の回転角度が４通り存在する場合に、回転角度を４通りに分類して鑑別情報としても良い。
【０１６２】
さらに上述した第４の実施の形態においては、紙幣の金種、記番号及び順序を鑑別情報とする場合について述べた。しかしながら本発明はこれに限らず、例えば順序を除いた金種及び記番号のみを鑑別情報としても良い。
【０１６３】
さらに上述した第５の実施の形態においては、排出前鑑別情報Ｎ１及び排出後鑑別情報Ｎ２が一致した場合にのみ、手検知センサ４１２ＦＡ及び４１２ＦＢの検知結果を利用した判断処理を行う場合について述べた。しかしながら本発明はこれに限らず、例えば排出前鑑別情報Ｎ１及び排出後鑑別情報Ｎ２が一致しなかった場合に、手検知センサ４１２ＦＡ及び４１２ＦＢにおいて検知光が遮断されていなければ、利用者による不正行為の可能性は低いものと判断し、これに応じた対応処理を行うようにしても良い。さらには、先に手検知センサ４１２ＦＡ及び４１２ＦＢの検知結果を利用した判断処理を行うようにし、検知光が遮断された場合にのみ、排出前鑑別情報Ｎ１及び排出後鑑別情報Ｎ２の比較処理を行うようにしても良い。
【０１６４】
このように本発明では、鑑別結果を基に鑑別対象の各紙幣を２以上に分類したときに、各媒体をこの分類により総合的に表す種々の情報を鑑別情報とすることができる。
【０１６５】
さらに上述した第５の実施の形態においては、第１の実施の形態と同様に金種ごとの枚数を表す排出前鑑別情報Ｎ１及び排出後鑑別情報Ｎ２をそれぞれ生成して比較する場合に、手検知センサ４１２ＦＡ及び４１２ＦＢの検知結果も利用する場合について述べた。しかしながら本発明はこれに限らず、例えば第２の実施の形態と同様に金種に関する出現順序を表す排出前鑑別情報Ｎ１１及び排出後鑑別情報Ｎ１２をそれぞれ生成して比較する場合等、種々の鑑別情報を生成して比較する場合に手検知センサ４１２ＦＡ及び４１２ＦＢの検知結果も組み合わせて利用しても良い。
【０１６６】
さらに上述した第５の実施の形態においては、紙幣の出金後に収容器１２Ａ内に紙幣が残留していたとき、すなわち紙幣の取り忘れが発生したときに、排出前鑑別情報Ｎ１及び排出後鑑別情報Ｎ２を照合する場合について述べた。しかしながら本発明はこれに限らず、例えば紙幣の取り忘れが発生し、且つ手検知センサ４１２ＦＡ及び４１２ＦＢや紙幣検知センサ１２Ｅ等の他のセンサによる検知結果が所定の照合条件を満たす場合のみ、排出前鑑別情報Ｎ１及び排出後鑑別情報Ｎ２を照合するようにしても良い。
【０１６７】
具体的な照合条件としては、例えば手検知センサ４１２ＦＡ及び４１２ＦＢにより、シャッタ１２Ｂが開いている間に紙幣又は利用者の手が通過空間を所定回数以上通過したことや、紙幣検知センサ１２ＥＡ〜１２ＥＪによるそれぞれの検知結果が排出前と排出後とで変化したこと、さらにはこれらの組み合わせ等とすることができる。
【０１６８】
さらに上述した第１の実施の形態においては、出金取引において利用者に紙幣を出金し、当該紙幣の取り忘れが発生した際に、排出前鑑別情報Ｎ１及び排出後鑑別情報Ｎ２を比較する場合ついて述べた。しかしながら本発明はこれに限らず、例えば入金取引において、利用者が途中で手続の中止を指示し、入金された紙幣を入出金部から返却する際に当該紙幣の取り忘れが発生した場合に、排出前鑑別情報Ｎ１及び排出後鑑別情報Ｎ２を比較するようにしても良い。第２〜第５の実施の形態についても同様である。
【０１６９】
さらに上述した第１の実施の形態においては、紙幣入出金機１０の紙幣制御部１１により出金処理手順ＲＴ１（図４）に従った出金処理を実行する場合について述べた。しかしながら本発明はこれに限らず、例えば主制御部９単独又は当該主制御部９及び紙幣制御部１１の協働により出金処理を実行しても良い。この場合、鑑別情報については、紙幣制御部１１の記憶部１１Ｍに限らず、主制御部９の記憶部９Ｍに記憶させても良く、さらにはネットワーク等の通信手段を介して外部から取得するようにしても良い。第２〜第５の実施の形態についても同様である。
【０１７０】
さらに上述した第１の実施の形態においては、出金プログラムを紙幣制御部１１の記憶部１１Ｍに予め記憶させる場合について述べた。しかしながら本発明はこれに限らず、例えば主制御部９の記憶部９Ｍに記憶させておいても良く、また図示しないネットワークを介して外部のサーバ等からダウンロードして取得しても良く、さらには図示しないインタフェースを介してＵＳＢ（Universal Serial Bus）メモリのような着脱型の記憶手段から取得しても良い。第２〜第５の実施の形態についても同様である。
【０１７１】
さらに上述した第１の実施の形態においては、利用者との間で媒体としての紙幣を取引する現金自動預払機１の紙幣入出金機１０に本発明を適用した場合について述べた。しかしながら本発明はこれに限らず、例えば各種金券や証券等の媒体を利用者との間で授受する種々の装置において、特に利用者が取り忘れた媒体を装置内に取り込む場合に本発明を適用しても良い。第２〜第５の実施の形態についても同様である。
【０１７２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１７３】
さらに上述した実施の形態においては、鑑別部としての鑑別部１４と、鑑別情報生成部としての鑑別情報生成部１１Ｃと、受渡部としての入出金部１２と、取込部としての取込口１２Ｃと、制御部としての紙幣制御部１１とによって媒体処理装置としての紙幣入出金機１０を構成する場合について述べた。しかしながら本発明はこれに限らず、その他種々の構成でなる鑑別部と、鑑別情報生成部と、受渡部と、取込部と、制御部とによって媒体処理装置を構成するようにしても良い。
【０１７４】
さらに上述した実施の形態においては、操作部としての操作表示部６と、鑑別部としての鑑別部１４と、鑑別情報生成部としての鑑別情報生成部１１Ｃと、受渡部としての入出金部１２と、取込部としての取込口１２Ｃと、制御部としての紙幣制御部１１とによって媒体取引装置としての現金自動預払機１を構成する場合について述べた。しかしながら本発明はこれに限らず、その他種々の構成でなる操作部と、鑑別部と、鑑別情報生成部と、受渡部と、取込部と、制御部とによって媒体取引装置を構成するようにしても良い。
【産業上の利用可能性】
【０１７５】
本発明は、利用者との間で紙幣等の媒体を授受する種々の装置でも利用できる。
【符号の説明】
【０１７６】
１、１０１、２０１、３０１、４０１……現金自動預払機、５……入出金口、６……操作表示部、９……主制御部、９Ｍ……記憶部、１０、１１０、２１０、３１０、４１０……紙幣入出金機、１１、１１１、２１１、３１１、４１１……紙幣制御部、１１Ｃ、１１１Ｃ、２１１Ｃ、３１１Ｃ、４１１Ｃ……鑑別情報生成部、１１Ｍ、１１１Ｍ、２１１Ｍ、３１１Ｍ、４１１Ｍ……記憶部、１２、４１２……入出金部、１２Ａ……収容器、１２Ｂ……シャッタ、１２Ｃ……取込口、１２Ｄ……放出口、１２Ｅ……紙幣検知センサ、４１２ＦＡ、４１２ＦＢ……手検知センサ、１３……搬送部、１４……鑑別部、１５……一時保留部、１６……紙幣収納庫、Ｎ１、Ｎ１１、Ｎ２１、Ｎ３１……排出前鑑別情報、Ｎ２、Ｎ１２、Ｎ２２、Ｎ３２……排出後鑑別情報。
【図１】
2015191331.tif 000003
【図２】
2015191331.tif 000004
【図３】
2015191331.tif 000005
【図４】
2015191331.tif 000006
【図５】
2015191331.tif 000007
【図６】
2015191331.tif 000008
【図７】
2015191331.tif 000009
【図８】
2015191331.tif 000010
【図９】
2015191331.tif 000011
【図１０】
2015191331.tif 000012
【図１１】
2015191331.tif 000013
【図１２】
2015191331.tif 000014
【図１３】
2015191331.tif 000015
【図１４】
2015191331.tif 000016
【図１５】
2015191331.tif 000017
【図１６】
2015191331.tif 000018